(57)【要約】【課題】エスカレーター用トラス斜面清掃治具において、トラス斜面の清掃の簡易化と、作業者の油の廃棄作業の容易化とを図ることである。【解決手段】トラス斜面清掃治具４０は、下端となる前端に前端開口が形成され、後端部に後端開口が形成されたケース４１と、ケースの底板部に立設した２つの入口壁５０ａ、５０ｂであって、前端開口の左右方向両端から左右方向中央に向かって後側に伸びる案内部を有する２つの入口壁と、後端開口の前側または後側を塞ぐ塞ぎ部、及び外側に形成された取っ手を有し、ケースに対し着脱可能な蓋部６０と、ケースの上部に結合され、ステップ軸を挿通させた状態でステップ軸に支持される軸支持部とを含み、前端開口からケースの内側で後側に送られ、ケースの後端部で折り返された油を、ケースの左右方向両側面と２つの入口壁との間で形成される２つのポケット部で回収可能に構成される。【選択図】図６
2018184291.tif 000002
【特許請求の範囲】
【請求項１】
複数個の踏段を無端状に連結した状態で上昇方向に移動するエスカレーターにおける帰路側の踏段のステップ軸に支持されるエスカレーター用トラス斜面清掃治具であって、
下端となる前端に前端開口が形成され、後端部に後端開口が形成されたケースと、
前記ケースの底板部に立設した２つの入口壁であって、前記前端開口の左右方向両端から左右方向中央に向かって後側に伸びる案内部を有する２つの入口壁と、
前記後端開口の前側または後側を塞ぐ塞ぎ部、及び外側に形成された取っ手を有し、前記ケースに対し着脱可能な蓋部と、
前記ケースの上部に結合され、前記ステップ軸を挿通させた状態で前記ステップ軸に支持される軸支持部とを備え、
前記前端開口から前記ケースの内側で後側に送られ、前記ケースの後端部で折り返された油を、前記ケースの左右方向両側面と前記２つの入口壁との間で形成される２つのポケット部で回収可能に構成される、エスカレーター用トラス斜面清掃治具。
【請求項２】
請求項１に記載のエスカレーター用トラス斜面清掃治具において、
前記軸支持部の下端に結合され、前記ケースの上部を貫通する案内軸と、
前記案内軸において前記ケースの上部から下側に突出した部分に結合されたストッパと、
前記案内軸の周りにおいて、前記軸支持部と前記ケースとの間に配置されたばねとを備える、エスカレーター用トラス斜面清掃治具。
【請求項３】
請求項１または請求項２に記載のエスカレーター用トラス斜面清掃治具において、
前記ケースの前記底板部の前端に結合されたゴム製のシールリップを備える、エスカレーター用トラス斜面清掃治具。
【請求項４】
請求項１から請求項３のいずれか１に記載のエスカレーター用トラス斜面清掃治具において、
前記ケースの前記底板部の左右方向両端寄り部分に左右方向に伸びるように形成された突部を備える、エスカレーター用トラス斜面清掃治具。
【請求項５】
請求項１から請求項４のいずれか１に記載のエスカレーター用トラス斜面清掃治具において、
前記ケースの前記後端開口に取り付けられ、所定以上の大きさの固形物の通過を遮断するフィルタを備える、エスカレーター用トラス斜面清掃治具。
【請求項６】
請求項１から請求項５のいずれか１に記載のエスカレーター用トラス斜面清掃治具を用いて行うエスカレーター用トラス斜面清掃油廃棄方法であって、
前記エスカレーターにおける帰路側の前記踏段の前記ステップ軸を前記軸支持部に挿通させた状態で、前記ステップ軸に前記トラス斜面清掃治具を支持するステップと、
前記トラス斜面清掃治具がトラス斜面に沿って下降するように、前記エスカレーターを上昇方向に運転するステップと、
前記エスカレーターの運転停止後、前記ステップ軸から前記トラス斜面清掃治具を取り外すステップと、
前記取っ手を掴んで前記トラス斜面清掃治具から前記蓋部を取り外すステップと、
前記後端開口を通じて前記トラス斜面清掃治具内の油を廃棄するステップとを含む、エスカレーター用トラス斜面清掃油廃棄方法。
【発明の詳細な説明】
【技術分野】
【０００１】
本発明は、エスカレーター用トラス斜面清掃治具及びトラス斜面清掃油廃棄方法に関する。
【背景技術】
【０００２】
エスカレーターにおいて、上階と下階とに掛け渡すようにトラスが設けられ、そのトラスの傾斜した底面であるトラス斜面は、油などで汚れやすいので、定期的または所定のタイミングで清掃される。
【０００３】
特許文献１には、エスカレーターの帰路側のステップ軸に取り付け金具を介して清掃具保持部材が取り付けられ、その保持部材に保持された保持棒にＶ字形の第１の清掃具が装着される構成が記載されている。この構成では、上記のステップ軸の下方に位置する別のステップ軸に圧力付加部材が取り付けられ、圧力付加部材とばねとにより清掃具保持部材をトラス斜面に押し付ける。この構成によれば、エスカレーターの上昇運転によって、第１の清掃具が、トラス斜面に押し付けられた状態で下降する。これにより、トラスの底面に付着している油が第１の清掃具の底部側に集められる。
【先行技術文献】
【特許文献】
【０００４】
【特許文献１】特開２０１２−６２１６７号公報
【発明の概要】
【発明が解決しようとする課題】
【０００５】
特許文献１に記載された構成では、エスカレーターの運転によってトラス斜面を簡易に清掃できる可能性があるが、エスカレーターの運転停止後、トラスの底面で、第１の清掃具の底部側に集められた油を、ブラシなどを用いて手作業で回収する必要がある。これにより、作業者の油の廃棄作業に手間を要する。
【０００６】
本発明の目的は、エスカレーター用トラス斜面清掃治具及びトラス斜面清掃油廃棄方法において、トラス斜面の清掃の簡易化と、作業者の油の廃棄作業の容易化とを図ることである。
【課題を解決するための手段】
【０００７】
本発明に係るエスカレーター用トラス斜面清掃治具は、複数個の踏段を無端状に連結した状態で上昇方向に移動するエスカレーターにおける帰路側の踏段のステップ軸に支持されるエスカレーター用トラス斜面清掃治具であって、下端となる前端に前端開口が形成され、後端部に後端開口が形成されたケースと、前記ケースの底板部に立設した２つの入口壁であって、前記前端開口の左右方向両端から左右方向中央に向かって後側に伸びる案内部を有する２つの入口壁と、前記後端開口の前側または後側を塞ぐ塞ぎ部、及び外側に形成された取っ手を有し、前記ケースに対し着脱可能な蓋部と、前記ケースの上部に結合され、前記ステップ軸を挿通させた状態で前記ステップ軸に支持される軸支持部とを備え、前記前端開口から前記ケースの内側で後側に送られ、前記ケースの後端部で折り返された油を、前記ケースの左右方向両側面と前記２つの入口壁との間で形成される２つのポケット部で回収可能に構成される、エスカレーター用トラス斜面清掃治具である。
【０００８】
本発明に係るエスカレーター用トラス斜面清掃油廃棄方法は、本発明に係るエスカレーター用トラス斜面清掃治具を用いて行うエスカレーター用トラス斜面清掃油廃棄方法であって、前記エスカレーターにおける帰路側の前記踏段の前記ステップ軸を前記軸支持部に挿通させた状態で、前記ステップ軸に前記トラス斜面清掃治具を支持するステップと、前記トラス斜面清掃治具がトラス斜面に沿って下降するように、前記エスカレーターを上昇方向に運転するステップと、前記エスカレーターの運転停止後、前記ステップ軸から前記トラス斜面清掃治具を取り外すステップと、前記取っ手を掴んで前記トラス斜面清掃治具から前記蓋部を取り外すステップと、前記後端開口を通じて前記トラス斜面清掃治具内の油を廃棄するステップとを含む、エスカレーター用トラス斜面清掃油廃棄方法である。
【発明の効果】
【０００９】
本発明に係るエスカレーター用トラス斜面清掃治具及びトラス斜面清掃油廃棄方法によれば、トラス斜面の清掃の簡易化と、作業者の油の廃棄作業の容易化とを図れる。
【図面の簡単な説明】
【００１０】
【図１】本発明の実施形態のトラス斜面清掃治具を適用するエスカレーターの１例を示す概略断面図である。
【図２】図１に示すエスカレーターの１つの踏段の拡大斜視図である。
【図３】実施形態のトラス斜面清掃治具を示す斜視図である。
【図４】図３に示すトラス斜面清掃治具を前側から見た図である。
【図５】図４のＡ−Ａ断面図である。
【図６】図５のＢ−Ｂ断面図である。
【図７】図３から蓋部を取り出して示す斜視図である。
【図８】図５のＣ部においてばねを模式的に示す拡大図である。
【図９】実施形態において、トラス斜面清掃治具を用いてトラス斜面を清掃する方法を示す断面図である。
【図１０】実施形態の別例のトラス斜面清掃治具において、軸支持部を示す図である。
【図１１】実施形態の別例のトラス斜面清掃治具の底部を下から見た図である。
【図１２】実施形態の別例のトラス斜面清掃治具の断面図である。
【図１３】図１２に示す別例において、蓋部を示す斜視図である。
【発明を実施するための最良の形態】
【００１１】
以下において、図面を用いて本発明に係る実施の形態につき詳細に説明する。以下で説明する形状、材料、個数などは説明のための例示であって、トラス斜面清掃治具の仕様により変更が可能である。以下では同様の構成には同一の符号を付して説明する。
【００１２】
図１は、実施形態のトラス斜面清掃治具を適用するエスカレーターの１例を示す概略断面図である。エスカレーター１０は、利用者側の踏段３０が上昇方向に移動するものであり、トラス１２と、移送手段２０と、複数の踏段３０とを含んで構成される。トラス１２は、他の部材を支持する構造部分であり、エスカレーター１０の基礎部分を構成する。トラス１２は、水平方向に対し傾斜した底面であるトラス斜面１２ａを有する。移送手段２０はトラス１２の内部に設けられ、複数の踏段３０を一方向に循環移動させる。複数の踏段３０の左右方向（図１の紙面の表裏方向）両側には、欄干１４が配置される。なお、以下の説明では、左右方向とは、上昇方向に移動するエスカレーター１０において、利用者が進行方向に向かう場合における左右方向を意味する。
【００１３】
移送手段２０は、駆動機構２１と、エスカレーター駆動装置２５とを含む。駆動機構２１は、無端状連結部材であるチェーン２２と、エスカレーターの上端部及び下端部に配置された２つのスプロケット２３，２４とを有し、チェーン２２は２つのスプロケット２３，２４に掛け渡される。エスカレーター駆動装置２５は、モータを含み、上記の駆動機構２１を駆動する。これにより、エスカレーターは、下の階から上の階に、進行方向として図１の矢印α方向に利用者を上昇させる。
【００１４】
図２は、図１に示すエスカレーターの１つの踏段３０の拡大斜視図である。図２に示すように、各踏段３０は、踏板３３と、踏板３３の進行方向一端（図２の右端）に連結されたライザー３４と、踏板３３及びライザー３４の左右方向両端に結合された略三角形の側板３０ａとを含む。
【００１５】
踏段３０には、左右方向（図２の左右方向）に伸びるステップ軸３１が、左右方向両端の側板３０ａを貫通して支持されている。複数の踏段３０におけるステップ軸３１は、チェーン２２に連結されており、このチェーン２２を介して複数の踏段３０が無端状に連結される。各ステップ軸３１の左右方向両端には、第１案内ローラ３２が回転可能に取付けられている。第１案内ローラ３２は、トラス１２（図１）において、複数の踏段３０の左右両側で上下に離れて配置された第１レール１３ａ、１３ｂに沿って移動する。図１に示すように、エスカレーター１０は上り用であり、往路側である上側の第１レール１３ａ側でステップ軸３１を含む踏段３０は上昇し、帰路側である下側の第１レール１３ｂ側でステップ軸３１を含む踏段３０は下降する。図１では、踏段３０及びステップ軸３１は、それぞれ一部のみを示している。図１に示すように、帰路側の第１レール１３ｂはトラス斜面１２ａと略平行である。これにより、ステップ軸３１は、帰路側でトラス斜面１２ａと略平行に移動する。
【００１６】
エスカレーター駆動装置２５は、上階近傍に配置されたモータの駆動によって上側のスプロケット２３を駆動して、ここに掛け渡されているチェーン２２を一方向に循環移動させる。これにより、エスカレーター駆動装置２５は、このチェーン２２に連結されている踏段３０を一方向に循環移動させる。モータの駆動は、エスカレーター制御装置（図示せず）により制御される。
【００１７】
上記のエスカレーター１０において、トラス１２の傾斜した底面であるトラス斜面１２ａは、長期間の使用によって、油などで汚れやすい。以下の図３〜図９を用いて説明するトラス斜面清掃治具４０は、上記のトラス斜面１２ａの清掃の簡易化と、作業者の油の廃棄作業の容易化とを図るべく発明したものである。
【００１８】
図３は、実施形態のトラス斜面清掃治具４０を示す斜視図である。図４は、トラス斜面清掃治具４０を前側から見た図である。図５は、図４のＡ−Ａ断面図である。図６は、図５のＢ−Ｂ断面図である。以下では、トラス斜面清掃治具４０は、清掃治具４０と記載する。
【００１９】
清掃治具４０は、上記のように上昇方向に移動するエスカレーター１０の帰路側の踏段３０のステップ軸３１に支持されて、トラス斜面１２ａを清掃する。具体的には、清掃治具４０は、ケース４１、２つの入口壁５０ａ、５０ｂ、蓋部６０及び２つの軸支持構造７０を含んで構成される。以下、清掃治具４０において、トラス斜面１２ａ（図９）に沿って下降する移動時に、移動方向前側となる側を前といい、移動方向後側となる側を後という。
【００２０】
ケース４１は、使用時に下端となる前端（図３の紙面の裏側端、図４の紙面の表側端、図５の左側端）に前端開口４２が形成され、上側から見た形状が略半円形である。より具体的には、ケース４１は、略半円形の底板部４３と、底板部４３の周縁に沿って立設した断面形状が略円弧形である周壁部４４と、周壁部４４の前端側の上端に、底板部４３と平行に連結された略長方形の天板部４５とを有する。
【００２１】
周壁部４４は、後側部分において、上端が、後端に向かうほど円弧状に低くなる。また、周壁部４４の上端において、天板部４５の後端縁と連続するように、断面が円弧形に湾曲した中間カバー４６が連結される。中間カバー４６の後端縁は逆Ｖ字形に形成され、中間カバー４６の後端縁と周壁部４４の後側上端縁との間には、扇形の窓部４７が形成される。この窓部４７は、後述の蓋部６０の上端によって塞がれる。ケース４１が上記のように構成されるので、底板部４３の上面と天板部４５の下面との間の前端部には、矩形の前端開口４２が形成される。ケース４１は、金属または樹脂によって形成される。底板部４３は、トラス斜面１２ａの損傷を防止する面から樹脂によって形成されるのが好ましい。
【００２２】
また、周壁部４４の後端部の下端部には、後側に突出する出口部４８が形成される。出口部４８は、内側に空間が形成され、ケース４１に蓋部６０が取り付けられない状態で、その空間は、出口部４８の前端を通じてケース４１の前側の内部空間と連通する。また、出口部４８の底面には、油排出孔である後端開口４８ａが形成される。後述するように、ケース４１に蓋部６０が設置された状態で、蓋部６０は後端開口４８ａの前側を塞いでいる。
【００２３】
２つの入口壁５０ａ、５０ｂは、底板部４３と、天板部４５及び中間カバー４６の間に配置されるように、底板部４３の左右方向両側に立設する。２つの入口壁５０ａ、５０ｂは、図６に示すように前端開口４２の左右方向両端から、円弧形に曲がりながら後側に伸びている。これにより、２つの入口壁５０ａ、５０ｂは、前端開口４２の左右方向両端から左右方向中央に向かって後側に伸びる第１案内部５１と、第１案内部５１の後側に連結されて後に向かって左右方向両端側に伸びる第２案内部５２とを有する。そして、ケース４１の内面の左右方向両側面と２つの入口壁５０ａ、５０ｂとの間によって、ケース４１の内側の左右方向両側部分には、２つのポケット部５３が形成される。なお、第２案内部は省略されてもよい。
【００２４】
図７は、図３から蓋部６０を取り出して示す斜視図である。図７に示すように、蓋部６０は、底板部６１、天板部６２、及び複数の周壁部６３ａ、６３ｂ、６３ｃ、６３ｄを含んでいる。蓋部６０は、金属または樹脂等により形成される。蓋部６０に後述の錘としての機能を持たせる面からは金属により形成することが好ましい。底板部６１は、前端に頂点を有する略扇形である。底板部６１の２つの前側端縁は、内側に窪んだ円弧形である。複数の周壁部のうち、底板部６１の前側端縁に連結される２つの周壁部６３ａ、６３ｂは、ケース４１に組み込まれた状態で油の折り返し面として機能する曲面部であり、後端に向かうほど上端が円弧状に低くなり、かつ、左右方向両側に曲がっている。後端の周壁部６３ｃは、ケース４１の周壁部４４（図３）の後端部の内側面に沿う曲面形状である。残りの周壁部６３ｄは、前側の周壁部６３ａ、６３ｂ及び後端の周壁部６３ｃを連結する。
【００２５】
天板部６２は、ケース４１の後端部の窓部４７（図３）に合致する略扇形である。天板部６２の外側である上側には、取っ手６４が形成される。このような蓋部６０は、ケース４１に対し着脱可能である。蓋部６０とケース４１との上部には、蓋部６０がケース４１から抜け落ちることを防止するための係止部が形成されてもよい。
【００２６】
図３、図４に示すように、２つの軸支持構造７０は、ケース４１の上端部において天板部４５に結合するように配置される。各軸支持構造７０の構成は、左右の２つで同様であるので、左側の軸支持構造７０で構成を詳しく説明する。
【００２７】
図８は、図５のＣ部においてばね７１を模式的に示す拡大図である。軸支持構造７０は、上端に配置された円筒状の軸支持部７２と、軸支持部７２の下端に固定されたスタッドボルトであるボルト７３と、２つのばね受け部７４，７５と、２つのナット７６，７７と、ばね７１とを含む。２つのばね受け部７４，７５は、ボルト７３を挿通させるようにボルト７３の上側、下側に配置される。ボルト７３は、案内軸に相当する。ボルト７３の下端部に結合されたナット７６はストッパに相当する。
【００２８】
軸支持部７２は、ステップ軸３１（図２、図９）を挿通させた状態でステップ軸３１に回動可能に支持される。この軸支持部７２は、ボルト７３を介してケース４１の上部に結合される。
【００２９】
ボルト７３は、ケース４１の天板部４５の左右方向端部を厚み方向に貫通し、上記の軸支持部７２の下端に結合固定される。ボルト７３において、ケース４１の上部である天板部４５から下側に突出した部分には下側のナット７６がねじ結合される。
【００３０】
２つのばね受け部７４，７５のうち、下側のばね受け部７５は、ボルト７３において、天板部４５から上側に突出した部分の下端に挿通されるように支持され、天板部４５に押し付けられる。上側のばね受け部７４は、ボルト７３において、天板部４５から上側に突出した部分の上端部に挿通されるように支持される。ばね７１は、ボルト７３の周りにおいて、２つのばね受け部７４，７５の間に挟むように配置される。上側のナット７７は、ボルト７３の上端部において、上側のばね受け部７４の上側にねじ結合される。これにより、ばね７１は、軸支持部７２とケース４１との間に配置される。このため、ボルト７３に対し２つのナット７６，７７の結合位置を調整することで、軸支持部７２とケース４１との最大の間隔を調整できる。
【００３１】
ケース４１の底板部４３の前端には、前端開口の左右方向長さとほぼ一致する長さのゴム製のシールリップ８０が取り付けられる。シールリップ８０の前端はケース４１の前端開口から前側にはみ出している。これにより、後述の図９に示すようにトラス斜面１２ａに沿ってケース４１が下降する場合に、シールリップ８０によりトラス斜面１２ａ上の油をケース４１の内側に取り込みやすくなる。なお、シールリップ８０を省略し、ケース４１の底板部４３の前端からケース４１の内側に直接に油を取り込む構成としてもよい。
【００３２】
また、図５、図６に示すように、ケース４１の底板部４３の前後方向中間部で、左右方向両端寄り部分には、左右方向に伸びるように上側に突出する断面三角形等の突部８１が形成される。例えば突部８１は、底板部４３の一部を上側にかしめることにより形成されるリブにより形成してもよい。
【００３３】
上記の清掃治具４０は、図６に矢印Ｐ１，Ｐ２，Ｐ３で示すように、前端開口４２からケース４１の内側で後側に送られ、ケース４１の後端部で折り返された油を、ケース４１の左右方向両端部に形成される２つのポケット部５３で回収可能に構成される。
【００３４】
次に、上記の清掃治具４０を用いて行うトラス斜面清掃油廃棄方法を説明する。トラス斜面清掃油廃棄方法は、治具支持ステップ、エスカレーター運転ステップ、治具取り外しステップ、蓋部取り外しステップ、油廃棄ステップとを含む。
【００３５】
図９は、実施形態において、清掃治具４０を用いてトラス斜面１２ａを清掃する方法を示す断面図である。治具支持ステップは、エスカレーターにおける帰路側の踏段のステップ軸３１を軸支持部７２に挿通させた状態で、ステップ軸３１に清掃治具４０を支持する。このとき、既存の踏段３０（図２）からステップ軸３１を取り外して、ステップ軸３１を軸支持部７２に挿通させるように清掃治具４０を支持した後、そのステップ軸３１を踏段３０に組み付けるようにしてもよい。
【００３６】
エスカレーター運転ステップは、清掃治具４０がトラス斜面１２ａに沿って下降するように、エスカレーターを上昇方向に運転する。これによって、図９に示すように、清掃治具４０が矢印γ方向に移動する。
【００３７】
このとき、ばね７１によって矢印δ方向にケース４１がトラス斜面１２ａに弾性的に押し付けられる。これにより、トラス斜面１２ａと軸支持部７２との間隔が変化した場合でも、ケース４１がばね７１の伸縮できる範囲でトラス斜面１２ａに追従しやすい。このとき、蓋部６０は、清掃治具４０をトラス斜面１２ａに押し付けやすくするための錘としての機能を発揮する。そして、シールリップ８０の下端がトラス斜面１２ａに接触した状態で、ケース４１が下降するので、トラス斜面１２ａ上の油が、矢印ηで示すように、前端開口４２からケース４１の内側で後側に送られる。そして、その油がケース４１の後端部で、図６、図９に示すように蓋部６０の前側の周壁部６３ａ、６３ｂで、左右方向両側に流れながら前側に折り返される。清掃治具４０は、このように折り返された油を、突部８１を乗り越えさせて、ケース４１の左右方向両側面と２つの入口壁５０ａ、５０ｂとの間で形成される２つのポケット部５３で回収する。ポケット部５３に入り込んだ油は、ポケット部５３の上側の周壁部６３ａ、６３ｂによって、下降時にケース４１外に漏出することが抑制される。また、ケース４１の底板部４３に形成された突部８１によって、ポケット部５３からの油の漏出をより有効に抑制できる。
【００３８】
そして、トラス斜面１２ａを上側から下側の所定位置に移動した時点でエスカレータの運転を停止させ、清掃作業を終了する。
【００３９】
治具取り外しステップは、エスカレーターの運転停止後、ステップ軸３１から清掃治具４０を取り外す。蓋部取り外しステップは、作業者が、清掃治具４０を前端開口４２が下に向くようにし、ポケット部５３内の油が漏れ出ないようにした状態で、取っ手６４を掴んで清掃治具４０から蓋部６０を取り外す。これによって、ケース４１の後端開口４８ａの前側が、油が回収されたケース４１の内側空間と連通する。
【００４０】
油廃棄ステップは、清掃治具４０から蓋部６０を取り外した後、作業者が、後端開口４８ａを下にするようにケース４１の向きを変えて、後端開口４８ａを通じて清掃治具４０内の油を廃棄する。このとき、ケース４１内に油と一緒にごみ等の固形の異物が回収されている場合には、その異物も油と一緒に廃棄される。
【００４１】
上記のように構成される清掃治具４０及びトラス斜面清掃油廃棄方法によれば、エスカレーターのステップ軸３１に清掃治具４０を支持した状態で、エスカレーターを上昇方向に運転させるだけでトラス斜面の油を清掃できる。これにより、トラス斜面１２ａの清掃の簡易化を図れる。また、清掃作業終了後、清掃治具４０をステップ軸３１から取り外し、蓋部６０を取り除くだけでポケット部５３内の油を廃棄できるので、作業者の油の廃棄作業の容易化を図れる。
【００４２】
なお、上記では、軸支持構造７０が、ケース４１の上端部の左右方向両端部に結合される場合を説明したが、軸支持構造は、ケース４１の上端部の左右方向中央部に１つのみ結合されてもよい。一方、ケース４１をステップ軸３１に安定して支持する面からは、上記のようにケース４１の左右方向両側に２つの軸支持構造７０を結合することが好ましい。
【００４３】
図１０は、実施形態の別例の清掃治具において、軸支持部７２ａを示す図である。別例の清掃治具における軸支持部７２ａは、図１０に示すようにボルト７３の上端に結合された下側半円部８２と、下側半円部８２の一端部（図１０の左端部）に一端が揺動可能に結合された上側半円部８３とを含んで構成される。上側半円部８３の他端（図１０の右端）は、凹凸係合部等により下側半円部８２の他端部に着脱可能に結合される。このような軸支持部７２ａを用いる場合には、ステップ軸３１（図２、図９）が踏段３０（図２）に装着された状態で、ステップ軸３１の中間部に軸支持部７２ａを容易に取り付けることができる。その他の構成及び作用は、図１から図９の構成と同様である。
【００４４】
図１１は、実施形態の別例の清掃治具４０ａの底部を下から見た図である。図１１に示す別例の構成の場合、底板部４３の下側面の複数位置に前後方向に伸びるように下側に突出する直線状の突部８４が形成される。このような底部を有する清掃治具４０ａを用いる場合には、底板部４３がトラス斜面１２ａ（図９）に接触した状態で清掃治具４０とトラス斜面１２ａとの摩擦を小さくできる。これにより、清掃治具４０をトラス斜面１２ａに沿って滑りやすくできる。その他の構成及び作用は、図１から図９の構成、または図１０の構成と同様である。
【００４５】
図１２は、実施形態の別例の清掃治具４０ｂの断面図である。図１３は、図１２に示す別例において、蓋部６０ａを示す斜視図である。図１２、図１３に示す別例の構成の場合、ケース４１ａは、周壁部８５の後端部に略長方形の後端開口８６が形成され、その後端開口８６の内側に着脱可能にフィルタ８７が取り付けられる。フィルタ８７は、例えば金属網、または発泡樹脂等により形成され、油の通過を許容するが、所定以上の大きさの固形物の通過を遮断するように構成される。そして、ケース４１ａの後端部に後端開口８６の後側を塞ぐように、ケース４１ａに対し着脱可能に蓋部６０ａが取り付けられる。
【００４６】
図１３に示すように、蓋部６０ａは、上から見た外形が円弧と直線部とからなる形状であり、底板部８８と、天板部８９と、第１及び第２周壁部９０，９１とにより形成される。第１周壁部９０は略長方形であり、第２周壁部９１は、断面円弧形の曲面である。天板部８９の上側には取っ手６４が形成される。このような蓋部６０は、前側の左右方向両端に取り付けられた長円形等のリング部（図示せず）をケース４１ａの後端部の左右方向両端に形成された突部または係止溝（図示せず）に係合させる等により、ケース４１ａに着脱可能に取り付けられる。
【００４７】
このような別例の構成によれば、トラス斜面の清掃後、ステップ軸から清掃治具４０ｂを取り外した状態で、ケース４１ａから蓋部６０を取り外し、フィルタ８７を通じてケース４１の後端開口８６から油を廃棄することができる。このとき、フィルタ８７によりごみ等の固形の異物が油と一緒に廃棄されるのを抑制できるので、油と固形の異物とを分離して廃棄できる。固形の異物は、ケース４１からフィルタ８７を取り外した状態で廃棄することができる。その他の構成及び作用は、図１から図９の構成、図１０の構成、または図１１の構成と同様である。
【符号の説明】
【００４８】
１０  エスカレーター、１２  トラス、１２ａ  トラス斜面、１３ａ，１３ｂ  第１レール、１４  欄干、２０  移送手段、２１  駆動機構、２２  チェーン、２３，２４  スプロケット、２５  エスカレーター駆動装置、３０  踏段、３０ａ  側板、３１  ステップ軸、３２  第１案内ローラ、３３  踏板、３４  ライザー、４０，４０ａ，４０ｂ  トラス斜面清掃治具（清掃治具）、４１，４１ａ  ケース、４２  前端開口、４３  底板部、４４  周壁部、４５  天板部、４６  中間カバー、４７  窓部、４８  出口部、４８ａ  後端開口、５０ａ，５０ｂ  入口壁、５１  第１案内部、５２  第２案内部、５３  ポケット部、６０，６０ａ  蓋部、６１  底板部、６２  天板部、６３ａ，６３ｂ，６３ｃ，６３ｄ  周壁部、６４  取っ手、７０  軸支持構造、７１  ばね、７２，７２ａ  軸支持部、７３  ボルト、７４、７５  ばね受け部、７６，７７  ナット、８０  シールリップ、８１  突部、８２  下側半円部、８３  上側半円部、８４  突部、８５  周壁部、８６  後端開口、８７  フィルタ、８８  底板部、８９  天板部、９０  第１周壁部、９１  第２周壁部。
【図１】
2018184291.tif 000003
【図２】
2018184291.tif 000004
【図３】
2018184291.tif 000005
【図４】
2018184291.tif 000006
【図５】
2018184291.tif 000007
【図６】
2018184291.tif 000008
【図７】
2018184291.tif 000009
【図８】
2018184291.tif 000010
【図９】
2018184291.tif 000011
【図１０】
2018184291.tif 000012
【図１１】
2018184291.tif 000013
【図１２】
2018184291.tif 000014
【図１３】
2018184291.tif 000015